(57)【要約】      （修正有）【課題】様々な種類の時計を１つの組立装置で組み立てることが可能な時計の組立装置を提供する。【解決手段】歯車７の軸の一端が地板２に嵌め込まれ、軸の他端が地板２に被せられる受け８に嵌め込まれることにより歯車７を回転可能に軸支する時計の組立装置であって、地板２が載置される載置台３と、載置台３に取り付けられ、載置台３に振動を加える可変振動部と、を備え、可変振動部は、載置台３に一端を回動自在に取り付けられたレバー５と、レバー５と交差し、かつ接触するように載置台３に固定され、ネジ溝が形成されたボルト６と、で構成され、載置台３に加える振動の振動数（Ｈｚ）を変化可能であり、歯車７の精度に合わせて振動数を変化させることにより、地板２に被せられた受け８に歯車の軸を嵌め込む。【選択図】図５
0003233185.tif 000002
【実用新案登録請求の範囲】
【請求項１】
歯車の軸の一端が地板に嵌め込まれ、前記軸の他端が前記地板に被せられる受けに嵌め込まれることにより前記歯車を回転可能に軸支するよう組み立てる時計の組立装置であって、
前記地板が載置される載置台と、
前記載置台に取り付けられ、前記載置台に振動を加える可変振動部と、を備え、
前記可変振動部は、前記載置台に加える振動の振動数（Hz）を変化可能であり、歯車の精度に合わせて振動数を変化させることにより、前記地板に被せられた前記受けに前記歯車の軸を嵌め込むことを特徴とする時計の組立装置。
【請求項２】
前記可変振動部は、前記載置台に一端を回動自在に取り付けられたレバーと、前記レバーと交差し、かつ接触するように前記載置台に固定され、ネジ溝が形成されたボルトと、で構成され、前記レバーを往復回動させる速さを変化させることにより、前記レバーと前記ボルトが擦られることにより発生する振動が変化することを特徴とする請求項１に記載の時計の組立装置。
【請求項３】
前記可変振動部は、モータと、前記モータの回転を振動に変換する変換部と、前記モータの回転数を制御する制御器と、を備え、前記制御器により前記モータの回転数を変化させることにより、前記変換部から発生する振動を変化させることを特徴とする請求項１に記載の時計の組立装置。
【考案の詳細な説明】
【技術分野】
【０００１】
本考案は、振動を利用して歯車の軸を受けに嵌め込む時計の組立装置に関する。
【背景技術】
【０００２】
従来より、時計の製造やオーバーホールを行うとき、組立装置に地板を載置し、歯車の軸の一端を地板に嵌め込み、他端を地板に被せられる受けに嵌め込むことにより、時計を組み立てていた。歯車の軸が嵌め込まれる地板の穴石の穴は、歯車の軸の太さより若干大きいので、歯車は地板に嵌め込んだとき、鉛直方向からわずかに傾くこととなる。この傾きにより受けを地板に被せたとき、受けの穴石の穴に歯車の軸が嵌め込まれず、歯車の傾きを修正する作業が必要となる。
【０００３】
この傾きの修正は、組立装置に組み込まれた超音波振動子や電磁振動コイルを利用して地板・歯車・受けに振動を加えることにより行われてきた（特許文献１参照）。
【先行技術文献】
【特許文献】
【０００４】
【特許文献１】実公昭４８−０３８２１２号公報
【考案の概要】
【考案が解決しようとする課題】
【０００５】
しかしながら、従来の組立装置では、一機種の時計しか組み立てることができず、複数種類の時計を組み立てるには、複数の組立装置が必要であった。また、時計店では様々な種類の時計が持ち込まれて修理やオーバーホールが行われるが、複数の組立装置を設置することができず、ピンセットで歯車を調整して受けに嵌め込んでいた。本考案は、上記課題に鑑みてなされたものであって、様々な種類の時計を１つの組立装置で組み立てることが可能な時計の組立装置を提供することを目的とする。
【課題を解決するための手段】
【０００６】
本考案者は、機種毎や経年劣化により歯車の精度が異なり、歯車の精度が異なると同じ振動数の振動を加えても上手く受けに歯車の軸が嵌らないことを見出した。そして、振動数を変えると歯車の精度が異なっても、上手く受けに歯車の軸をはめ込むことができると発見し、本考案を完成した。
【０００７】
本考案は、歯車の軸の一端が地板に嵌め込まれ、前記軸の他端が前記地板に被せられる受けに嵌め込まれることにより前記歯車を回転可能に軸支するよう組み立てる時計の組立装置であって、前記地板が載置される載置台と、前記載置台に取り付けられ、前記載置台に振動を加える可変振動部と、を備え、前記可変振動部は、前記載置台に加える振動の振動数（Hz）を変化可能であり、歯車の精度に合わせて振動数を変化させることにより、前記地板に被せられた前記受けに前記歯車の軸を嵌め込むことを特徴とする。
【考案の効果】
【０００８】
本考案の時計の組立装置は、可変振動部を備えるので、組み立てる時計の歯車の精度に合った振動数の振動を加えて、地板に被せられた受けに歯車の軸を嵌め込むことができ、歯車の精度が異なる様々な機種の時計も一つの組立装置で組み立てることができる。
【図面の簡単な説明】
【０００９】
【図１】本考案の実施形態に係る時計の組立装置を示す斜視図である。
【図２】同上組立装置の使用方法を示す斜視図である。
【図３】精度の高い歯車と低い歯車を示す図である。
【図４】歯車が嵌め込まれた地板に受けを被せた状態を示す断面図である。
【図５】同上組立装置を用いて精度の高い歯車を時計に組み立てる方法を示す図である。
【図６】同上組立装置を用いて精度の低い歯車を時計に組み立てる方法を示す図である。
【考案を実施するための形態】
【００１０】
図１は、本考案の時計の組立装置１を示す図であり、（ａ）は平面側の斜視図、（ｂ）は底面側の斜視図である。時計の組立装置１は、時計の地板２が載置される載置台３と、載置台３に取り付けられ、載置台３に振動を加える可変振動部４と、を備えている。
【００１１】
載置台３は、板材を略コ字状に屈曲して形成しており、両端３１，３２が下方に向かって突出され、中央部３３は、水平に形成されている。
【００１２】
可変振動部４は、載置台３に一端を回動自在に取り付けられたレバー５と、レバー５と交差し、かつ接触するように載置台３に固定され、ネジ溝が形成されたボルト６と、で構成されている。レバー５は、細長い薄板で形成されており、一端が載置台３の中央部３３の底面側に取り付けられている。そしてレバー５は、中央付近から他端まで幅方向に折り畳まれて載置台３より前方に突出されている。
【００１３】
ボルト６は、載置台３の前方側で両端３１，３２に掛け渡されており、その全長にねじ溝が形成されている。そしてボルト６の下側がレバー５の他端付近の上側と接触するようにボルト６は配置されている。このように可変振動部４は構成されているので、レバー５の他端を把持し、左右方向にレバー５を往復回動させると載置台３に振動が加えられることとなる。そしてレバー５の往復動の速さを変化させると、往復回動の速さに比例した振動数（Ｈｚ）で載置台３は振動することとなる。
【００１４】
以上のように構成された時計の組立装置１の使用方法を図２（ａ），（ｂ）を用いて説明する。図２（ａ）に示すように、載置台３に地板２を載置し、地板２の複数の穴石２１に歯車７の軸の一端を嵌めこみ、地板２に受け８を被せる。そして、図２（ｂ）に示すように、左手でレバー５の他端を把持し、左右方向にレバー５の他端を往復回動させると、レバー５の上部がボルト６の下側の複数のネジ溝に擦り付けられ、載置台３に擦り付けられることにより発生した振動が加えられることとなる。載置台３が振動すると、載置した地板２、歯車７、受け８も振動し、歯車７の軸の他端が受け８の穴石８１に嵌り込むこととなり、時計が組み立てられる。
【００１５】
次に、この歯車７の構造を図３（ａ），（ｂ）を用いて説明する。歯車７は、複数の歯が設けられた円盤７１と、円盤７１の中心を貫く軸７２とで構成されている。軸７２は、円盤７１から突出する太厚の心棒７３と、心棒７３から更に突出し穴石の穴に入り込む細厚のほぞ７４とで、構成されている。歯車は、機種によりこのほぞ７４の精度が異なり、精度の低いものは、図３（ｂ）のように基端にえぐれ７５があり、ほぞ７４の太さが細くなっている。また、長年の摩耗により、図３（ａ）から（ｂ）の状態となるものもある。本考案の歯車の精度の高低とは、ほぞの精度の高低のことであり、えぐれが有るか否か等によりほぞがどのくらいの太さとなっているかを言う。
【００１６】
図３（ａ）に示すような、歯車７の精度が高い場合は、図４（ａ）に示すように、歯車７を地板２の穴石２１の穴に嵌めこむと、穴石２１の穴は、ほぞ７４より若干大きいので歯車７は僅かに傾く。ほぞ７４の先端は、受け８の穴石８１の穴に対し、若干ずれることとなる。
【００１７】
一方、図３（ｂ）に示すような、歯車７の精度が低い場合は、図４（ｂ）に示すように、歯車７を地板２の穴石２１の穴に嵌めこむと、ほぞ７４のえぐれ７５により歯車７は大きく傾き、ほぞ７４の先端は、受け８の穴石８１の穴に対し、大きくずれることとなる。
【００１８】
続いて、精度の高い場合と、精度の低い場合での、時計の組立方法を図５〜６を用いて説明する。
【００１９】
歯車７の精度が高い場合は、図５（ａ）に示すように、歯車７の軸のほぞ７４を地板２の穴石２１の穴に嵌めこんで、受け８を地板２に被せる。そして、図５（ｂ）に示すように、レバー５を把持し、そのレバー５を左右方向にゆっくり往復回動させると、振動数が少ない振動が載置台３に加えられる。載置台３が振動すると、載置した地板２、歯車７、受け８も少ない振動数で振動する。続けて振動を加えていると、図５（ｃ）に示すように、歯車７のほぞ７４の先端が受け８の穴石８１に嵌り込み、受け８が下方に沈み込み、時計が組み立てられることとなる。
【００２０】
一方、歯車７の精度が低い場合は、図６（ａ）に示すように、精度の高い場合と同様に歯車７の軸のほぞ７４を地板２の穴石２１の穴に嵌めこんで、受け８を地板２に被せる。そして、図６（ｂ）に示すように、レバー５を把持し、そのレバー５を左右方向に素早く往復回動させると、振動数が多い振動が載置台３を通して、地板２、歯車７、受け８に加えられる。続けて振動を加えていると、図６（ｃ）に示すように、歯車７のほぞ７４の先端が受け８の穴石８１に嵌り込み、受け８が下方に沈み込み、時計が組み立てられることとなる。
【００２１】
本考案の時計の組立装置１は、これら図５〜６に示すように、歯車７の精度が高い場合は、加える振動の振動数を少なくし、低い場合は、振動数を多くすることで、如何なる精度の時計においても組み立てることができる。即ち、歯車７の精度に合わせて、レバー５の往復回動の速さを変化させることで、様々な機種の時計を組み立てることができる。
【００２２】
本考案の可変振動部４は、手動で載置台３に加える振動の振動数を変化させているが、モータ等、他の動力手段を用いて振動数を変化させてもよい。モータを使用する場合は、モータの回転を振動に変換するための変換部と、モータの回転数を変化させる制御部とを備えると良い。変換部は、レバーの代わりに先端を山型に折り曲げた板バネを載置台に取り付け、この板バネの山部分に、モータの軸に取り付けられた歯車の歯を歯合させた構成や、モータの回転軸に分銅を偏らせて取り付けた構成としてもよい。制御部は、トランジスタと可変抵抗器とで、構成され、モータにトランジスタのコレクタを接続するとともに、可変抵抗器をベースに接続することで、可変抵抗器のボリュームつまみを回転させることで、モータの回転数を変化させることができる。
【符号の説明】
【００２３】
１      時計の組立装置
２      地板
２１    穴石
３      載置台
３１    両端
３２    両端
３３    中央部
４      可変振動部
５      レバー
６      ボルト
７      歯車
７１    円盤
７２    軸
７３    心棒
７４    ほぞ
７５    えぐれ
８      受け
８１    穴石
【図１】
0003233185.tif 000003
【図２】
0003233185.tif 000004
【図３】
0003233185.tif 000005
【図４】
0003233185.tif 000006
【図５】
0003233185.tif 000007
【図６】
0003233185.tif 000008